(57)【要約】【課題】記録したコンテンツを１回の自動ダビング処理で複数複製し、ユーザの負担を軽減することが可能な記録装置を提供する。【解決手段】放送電波から取得したテレビ番組のコンテンツのデータを、デジタル方式で録画するＨＤＤ５、ＤＶＤ２０にデジタル方式で録画する光ディスクドライブ６、およびビデオテープ３０にアナログ方式で録画するビデオデッキを本体内に内蔵した複合型の記録装置１０において、コンテンツのデータのＨＤＤ５へのタイマ録画終了後に、該録画されたコンテンツのデータを自動的に、ビデオテープ３０にアナログ方式でダビングし、次にＤＶＤ２０にデジタル方式でダビングする。【選択図】図１
2008091992.tif 000002
【特許請求の範囲】
【請求項１】
放送電波から取得したテレビ番組のコンテンツのデータを、デジタル方式で録画するＨＤＤ（Hard Disk Drive）、ＤＶＤ（Digital  Versatile Disk）にデジタル方式で録画する光ディスクドライブ、およびビデオテープにアナログ方式で録画するビデオデッキをそれぞれ内蔵し、前記コンテンツのデータをタイマ録画する予約を行う予約手段を備えた複合型の記録装置において、
前記予約手段により予約された前記コンテンツのデータの前記ＨＤＤへのタイマ録画の終了後に、該録画されたコンテンツのデータを自動的に、前記ビデオデッキにより前記ビデオテープにダビングし、次に前記光ディスクドライブにより前記ＤＶＤにダビングするダビング手段と、
前記ダビング対象のコンテンツがコピーワンスコンテンツでない場合に、該コンテンツをダビング後に前記ＨＤＤから消去するかしないかを設定する設定手段と、
前記設定手段により前記消去することが設定された場合に、前記消去を自動的に行う消去手段と、を備え、
前記ダビング手段は、前記ダビングを行う時間帯を予測し、
前記予測時間帯が前記予約手段により予約された他の前記コンテンツのデータの前記ＨＤＤへのタイマ録画を行う時間帯と重複する場合に、該タイマ記録時間帯と重複しない時間帯に前記ダビングを行い、
前記予測時間帯が前記予約手段により予約された他の前記コンテンツのデータの前記ＤＶＤまたは前記ビデオテープへのタイマ録画を行う時間帯と重複する場合に、前記ダビングを取り消すことを特徴とする記録装置。
【請求項２】
外部から取得したコンテンツのデータを、内蔵または外付けされた第１の記録媒体にデジタル方式で記録する第１の記録手段、リムーバブルな第２の記録媒体にデジタル方式で記録する第２の記録手段、およびリムーバブルな第３の記録媒体にアナログ方式で記録する第３の記録手段を備えた記録装置において、
前記コンテンツのデータの前記第１の記録媒体への記録終了後に、該記録されたコンテンツのデータを自動的に、前記第３の記録媒体にアナログ方式でダビングし、次に前記第２の記録媒体にデジタル方式でダビングするダビング手段を備えたことを特徴とする記録装置。
【請求項３】
請求項２に記載の記録装置において、
前記ダビング対象のコンテンツがコピーワンスコンテンツでない場合に、該コンテンツをダビング後に前記第１の記録媒体から消去するかしないかを設定する設定手段と、
前記設定手段により前記消去することが設定された場合に、前記消去を自動的に行う消去手段と、を備えたことを特徴とする記録装置。
【請求項４】
請求項２または請求項３に記載の記録装置において、
前記コンテンツのデータを自動的に記録する予約を行う予約手段を備え、
前記ダビング手段は、前記予約手段により予約された前記コンテンツのデータの前記第１の記録媒体への記録終了後に、該記録されたコンテンツのデータを自動的に、前記第３の記録媒体にアナログ方式でダビングし、次に前記第２の記録媒体にデジタル方式でダビングすることを特徴とする記録装置。
【請求項５】
請求項４に記載の記録装置において、
前記ダビング手段は、前記ダビングを行う時間帯を予測し、該予測時間帯が前記予約手段により予約された他の前記コンテンツのデータの前記第１の記録媒体への記録を行う時間帯と重複する場合に、該記録時間帯と重複しない時間帯に前記ダビングを行うことを特徴とする記録装置。
【請求項６】
請求項４または請求項５に記載の記録装置において、
前記ダビング手段は、前記ダビングを行う時間帯を予測し、該予測時間帯が前記予約手段により予約された他の前記コンテンツのデータの前記第２の記録媒体への記録または前記第３の記録媒体への記録を行う時間帯と重複する場合に、前記ダビングを取り消すことを特徴とする記録装置。
【発明の詳細な説明】
【技術分野】
【０００１】
本発明は、テレビ番組等のコンテンツのデータを、一の記録媒体に記録した後、他の記録媒体にダビングする記録装置に関するものである。
【背景技術】
【０００２】
記録装置には、例えば下記の特許文献１〜４等に開示されているように、テレビ番組等のコンテンツのデータを、ＨＤＤ（Hard Disk Drive）、ＤＶＤ（Digital
Versatile Disk）、ビデオテープ、メモリカード等の複数種類の記録媒体にそれぞれ記録でき、かつ該記録媒体間でダビングできるものがある。
【０００３】
特許文献１の記録装置は、ダビングする際のユーザの負担を軽減するため、タイマ録画予約の入っていない時間帯または電源切りの操作受け付け時等に、自動的にＨＤＤやＤＶＤ等の記録媒体間でコンテンツのデータのダビングを行っている。タイマ録画とは、予約された時間帯に、予約されたテレビ番組等のコンテンツのデータを自動的に録画する機能のことである。特許文献３の記録装置は、例えば一週間連続してダビングする際のユーザの負担を軽減するため、内蔵するＨＤＤに録画したテレビ番組のサムネイル情報と、ＤＶＤまたは／および磁気テープに録画したテレビ番組のサムネイル情報が一致する場合に、同じチャンネルでかつ同じ時間帯でかつ録画した日が違うテレビ番組のコンテンツのデータを、ＨＤＤからＤＶＤ等へ自動的にダビングしている。特許文献４の記録装置は、ＨＤＤからＤＶＤへのダビング予約が行え、ダビング予約された時間帯が他の視聴予約や録画予約等の時間帯と重複する場合に、他の予約された視聴や録画等を優先して行った後、予約されたダビングを行っている。
【０００４】
特許文献１、２の記録装置は、コンテンツの著作権を保護するため、コピーワンスコンテンツのデータを内蔵するＨＤＤに録画した後、該コンテンツのデータをＣＰＲＭ（Content Protection for Recordable Media）という著作権保護技術に対応したＤＶＤ等にダビングしながら、ＨＤＤから消去するムーブ機能を有している。コピーワンスコンテンツとは、「一回だけコピー可能」という制御情報が付加されたコンテンツのことである。コピーワンスコンテンツは、ＣＰＲＭ対応の記録装置やＤＶＤ等を使用することで、一回だけ録画したりムーブしたりすることはできるが、以降は他のデジタル方式の記録装置や記録媒体にダビングできなくなる。特許文献２の記録装置は、記録モード（ビットレート）を変えることにより、コピーワンスコンテンツのデータをＤＶＤ等に複数回ダビングできるようにしている。
【０００５】
【特許文献１】特開２００６−１６４４３５号公報
【特許文献２】特開２００６−１１４０９１号公報
【特許文献３】特開２００５−３４７９９７号公報
【特許文献４】特開２００５−１６７２９７号公報
【発明の開示】
【発明が解決しようとする課題】
【０００６】
上述した従来の特許文献１〜４のような記録装置では、内蔵するＨＤＤ等に記録したコンテンツを、１回の自動ダビング処理でＤＶＤ等に１つだけ複製している。特許文献３には、ダビング先としてＤＶＤと磁気テープの両方を用いても良いと記載されているが、１回の自動ダビング処理でのコンテンツの複製数については何も記載されていない。このため、コンテンツがコピーワンスコンテンツである場合、特許文献１、３、４のような記録装置では、ダビング元のＨＤＤ等からコンテンツのデータが消去されるので、その後ダビング先のＤＶＤ等が劣化して再生できなくなると、コンテンツを視聴できなくなる。また、特許文献２のような記録装置では、コピーワンスコンテンツであっても、記録モードを変えることでＤＶＤ等に複数回ダビングできるが、その都度リモコン等でダビング操作を行わなければならないので、ユーザに負担がかかる。
【０００７】
本発明は、上述した問題点を解決するものであって、その課題とするところは、記録したコンテンツを１回の自動ダビング処理で複数複製し、ユーザの負担を軽減することが可能な記録装置を提供することにある。
【課題を解決するための手段】
【０００８】
本発明は、外部から取得したコンテンツのデータを、内蔵または外付けされた第１の記録媒体にデジタル方式で記録する第１の記録手段、リムーバブルな第２の記録媒体にデジタル方式で記録する第２の記録手段、およびリムーバブルな第３の記録媒体にアナログ方式で記録する第３の記録手段を備えた記録装置において、コンテンツのデータの第１の記録媒体への記録終了後に、該記録されたコンテンツのデータを自動的に、第３の記録媒体にアナログ方式でダビングし、次に第２の記録媒体にデジタル方式でダビングするダビング手段を備える。
【０００９】
このようにすると、第１の記録媒体にデジタル方式で記録したコンテンツがコピーワンスコンテンツであっても、コピーワンスコンテンツはアナログ方式の記録であれば、付加された制御情報の影響を受けず、ダビング元から消去されないので、該第１の記録媒体に記録したコンテンツを１回の自動ダビング処理で、リムーバブルな第３の記録媒体にアナログ方式でダビングし、次にリムーバブルな第２の記録媒体にデジタル方式でダビングして、複数複製することができ、ユーザの負担を軽減することが可能となる。このため、その後ダビング先の第３の記録媒体と第２の記録媒体のいずれか一方が劣化して再生できなくなっても、他方を再生してコンテンツを視聴することができる。
【００１０】
また、本発明の一実施形態では、上記記録装置において、ダビング対象のコンテンツがコピーワンスコンテンツでない場合に、該コンテンツをダビング後に第１の記録媒体から消去するかしないかを設定する設定手段と、設定手段により上記消去することが設定された場合に、上記消去を自動的に行う消去手段とを備える。
【００１１】
このようにすると、コピーワンスコンテンツでないコンテンツをダビング後に第１の記録媒体から消去するかしないかを、ユーザが設定手段により自由に設定することができる。そして、設定手段により上記コンテンツを消去しないことを設定することで、上記コンテンツがダビング元の第１の記録媒体から消去されないので、その後ダビング先の第３の記録媒体と第２の記録媒体が劣化して再生できなくなっても、別の第３の記録媒体と第２の記録媒体に上記コンテンツをダビングすることができる。また、設定手段により上記コンテンツを消去することを設定することで、上記コンテンツがダビング後に自動的にダビング元の第１の記録媒体から消去されるので、第１の記録媒体の記録領域を整理して最適化することができる。
【００１２】
また、本発明の一実施形態では、上記記録装置において、コンテンツのデータを自動的に記録する予約を行う予約手段を備え、ダビング手段は、予約手段により予約されたコンテンツのデータの第１の記録媒体への記録終了後に、該記録されたコンテンツのデータを自動的に、第３の記録媒体にアナログ方式でダビングし、次に第２の記録媒体にデジタル方式でダビングする。
【００１３】
このようにすると、自動記録予約したコンテンツを第１の記録媒体に記録した後、１回の自動ダビング処理でリムーバブルな第３の記録媒体と第２の記録媒体にダビングして、複数複製することができ、ユーザの負担を軽減することが可能となる。また、コストダウン等のため、記録装置からコンテンツの第３の記録媒体や第２の記録媒体に対する自動記録予約の機能を省いても、所望のコンテンツを自動的に第３の記録媒体と第２の記録媒体に記録することができる。
【００１４】
また、本発明の一実施形態では、上記記録装置において、ダビング手段は、上記ダビングを行う時間帯を予測し、該予測時間帯が予約手段により予約された他のコンテンツのデータの第１の記録媒体への記録を行う時間帯と重複する場合に、該記録時間帯と重複しない時間帯に上記ダビングを行う。
【００１５】
このようにすると、予約された他のコンテンツの第１の記録媒体への記録を阻害することなく、第１の記録媒体に記録したコンテンツを第３の記録媒体と第２の記録媒体にダビングすることができる。
【００１６】
また、本発明の一実施形態では、上記記録装置において、ダビング手段は、上記ダビングを行う時間帯を予測し、該予測時間帯が予約手段により予約された他のコンテンツのデータの第２の記録媒体への記録または第３の記録媒体への記録を行う時間帯と重複する場合に、上記ダビングを取り消す。
【００１７】
このようにすると、第１の記録媒体に記録したコンテンツの第３の記録媒体や第２の記録媒体へのダビングにより、予約された他のコンテンツの第２の記録媒体や第３の記録媒体への記録が阻害されるのを防止することができる。
【００１８】
さらに、本発明の典型的な実施形態では、放送電波から取得したテレビ番組のコンテンツのデータを、デジタル方式で録画するＨＤＤ（Hard Disk Drive）、ＤＶＤ（Digital
Versatile Disk）にデジタル方式で録画する光ディスクドライブ、およびビデオテープにアナログ方式で録画するビデオデッキをそれぞれ内蔵し、コンテンツのデータをタイマ録画する予約を行う予約手段を備えた複合型の記録装置において、予約手段により予約されたコンテンツのデータのＨＤＤへのタイマ録画の終了後に、該録画されたコンテンツのデータを自動的に、ビデオデッキによりビデオテープにダビングし、次に光ディスクドライブによりＤＶＤにダビングするダビング手段と、ダビング対象のコンテンツがコピーワンスコンテンツでない場合に、該コンテンツをダビング後にＨＤＤから消去するかしないかを設定する設定手段と、設定手段により上記消去することが設定された場合に、上記消去を自動的に行う消去手段とを備え、ダビング手段は、上記ダビングを行う時間帯を予測し、該予測時間帯が予約手段により予約された他のコンテンツのデータのＨＤＤへのタイマ録画を行う時間帯と重複する場合に、該タイマ録画時間帯と重複しない時間帯に上記ダビングを行い、該予測時間帯が予約手段により予約された他のコンテンツのデータのＤＶＤまたはビデオテープへのタイマ録画を行う時間帯と重複する場合に、上記ダビングを取り消す。
【００１９】
このようにすると、ＨＤＤにタイマ録画したコンテンツがコピーワンスコンテンツであっても、該コンテンツを１回の自動ダビング処理でビデオテープとＤＶＤにダビングして、複数複製することができ、ユーザの負担を軽減することが可能となる。このため、その後ダビング先のビデオテープとＤＶＤのいずれか一方が劣化して再生できなくなっても、他方を再生してコンテンツを視聴することができる。また、コピーワンスコンテンツでないコンテンツをダビング後にＨＤＤから消去するかしないかを、ユーザが設定手段により自由に設定することができる。そして、上記コンテンツを消去しないことを設定することで、上記コンテンツがダビング元のＨＤＤから消去されないので、その後ダビング先のビデオテープとＤＶＤが劣化して再生できなくなっても、別のビデオテープとＤＶＤにダビングすることができる。また、上記コンテンツを消去することを設定することで、上記コンテンツがダビング後に自動的にダビング元のＨＤＤから消去されるので、ＨＤＤを最適化することができる。また、コストダウン等のため、記録装置からビデオテープやＤＶＤに対するタイマ録画予約の機能を省いても、所望のコンテンツを自動的にビデオテープとＤＶＤに録画することができる。また、コンテンツのダビングを行う予測時間帯と、予約された他のコンテンツのＨＤＤへのタイマ録画を行う時間帯とが重複しても、タイマ録画の終了後にダビングを行うので、該タイマ録画とダビングとを阻害し合うことなく正常に行うことができる。さらに、コンテンツのダビングを行う予測時間帯と、予約された他のコンテンツのＤＶＤまたはビデオテープへのタイマ録画を行う時間帯とが重複しても、該タイマ録画を行って、ダビングを取り消すので、該タイマ録画がダビングにより阻害されるのを防止することができる。
【発明の効果】
【００２０】
本発明によれば、記録したコンテンツを第１の記録媒体に記録した後、該コンテンツがコピーワンスコンテンツであっても、該コンテンツを１回の自動ダビング処理でリムーバブルな第３の記録媒体と第２の記録媒体とにダビングして、複数複製することができ、ユーザの負担を軽減することが可能となる。
【発明を実施するための最良の形態】
【００２１】
図１は、本発明の実施形態に係る記録装置１０のブロック図である。記録装置１０は、ＨＤＤ（Hard Disk Drive）レコーダ、ＤＶＤ（Digital  Versatile Disk）レコーダ、およびＶＣＲ(Video Cassette Recorder)の機能を有する複合型のＡＶ機器である。記録装置１０は、制御部１、メモリ２、信号処理部３、チューナ４、ＨＤＤ５、光ディスクドライブ６、ビデオデッキ７、表示部８、操作部９、およびリモコン受信部１１が内蔵された本体と、リモコン（リモートコントローラ）１２とから構成されている。
【００２２】
制御部１は、ＣＰＵ、ＲＯＭ、ＲＡＭ、不揮発性メモリ、タイマ、およびＯＳＤ（On Screen Display）回路等から構成されている。制御部１は、ＲＯＭ、ＲＡＭ、および不揮発性メモリに記憶されたプログラムとデータに基づいて、記録装置１０の各部を制御する。また、制御部１は、タイマにより日付と時間とをカウントする。メモリ２は、ＲＯＭ、ＲＡＭ、および不揮発性メモリ等から構成されている。信号処理部３は、ＭＰＥＧ（Moving Picture Experts Group）符号化・復号回路およびデジタル・アナログ変換回路等から構成されている。チューナ４は、放送局から放送された地上アナログ放送、地上デジタル放送、ＢＳデジタル放送、ＣＳデジタル放送、およびこれらデジタル放送に含まれるデジタルハイビジョン放送等の各種放送電波を、アンテナ１３を介して受信する各種の受信回路等から構成されている。チューナ４は、アンテナ１３で受信した放送電波から各チャンネルのテレビ番組のコンテンツのデータを抽出して、信号処理部３へ出力する。外部から取得して信号処理部３に入力されるコンテンツのデータとしては、上記放送電波から取得したコンテンツのデータ以外に、例えば記録装置１０とケーブル等で接続された他のＡＶ機器から入力されるコンテンツのデータ等もある。信号処理部３は、チューナ４等から入力されたコンテンツのデータを処理して、アナログの映像信号と音声信号を生成し、テレビ（テレビジョン受像機）４０へ出力する。
【００２３】
ＨＤＤ５は、内蔵する磁気ディスクに記録されたコンテンツのデータ等を読み出したり、コンテンツのデータ等を磁気ディスクに書き込んだりする。光ディスクドライブ６は、ＤＶＤ２０に記録されたコンテンツのデータ等を読み出したり、コンテンツのデータ等をＤＶＤ２０に書き込んだりする。ＨＤＤ５やＤＶＤ２０に対して読み書きするコンテンツのデータは、ＭＰＥＧ形式で圧縮されたデジタルデータである。制御部１は、ＨＤＤ５またはＤＶＤ２０から読み出したコンテンツのデジタルデータを、信号処理部３により復号してアナログの映像信号と音声信号を再生し、テレビ４０へ出力する。また、制御部１は、放送電波等から取得したコンテンツのデジタルデータまたはアナログデータを、信号処理部３により処理してＭＰＥＧ形式で圧縮したデジタルデータを生成し、ＨＤＤ５に記録したり、光ディスクドライブ６によりＤＶＤ２０に記録したりする。つまり、制御部１は、コンテンツのデータを信号処理部３または信号処理部３と光ディスクドライブ６により、ＨＤＤ５またはＤＶＤ２０にデジタル方式で録画する。また、制御部１は、ＨＤＤ５またはＤＶＤ２０からコンテンツのデジタルデータを読み出して、信号処理部３により処理し、光ディスクドライブ６によりＤＶＤ２０にまたはＨＤＤ５にデジタル方式でダビングする。さらに、制御部１は、ＨＤＤ５またはＤＶＤ２０に記録されたコンテンツのデータを消去する。
【００２４】
ビデオデッキ７は、ＶＨＳ方式のアナログのビデオテープ３０に記録されたコンテンツのデータ等を読み出したり、コンテンツのデータ等をビデオテープ３０に書き込んだりする。ビデオテープ３０に対して読み書きするコンテンツのデータは、アナログデータ、即ちビデオ信号である。制御部１は、ビデオテープ３０から読み出したコンテンツのアナログデータを、信号処理部３により処理してアナログの映像信号や音声信号を再生し、テレビ４０へ出力する。また、制御部１は、放送電波等から取得したコンテンツのデジタルデータまたはアナログデータを、信号処理部３により処理してアナログのビデオ信号を生成し、ビデオデッキ７によりビデオテープ３０に記録する。つまり、制御部１は、コンテンツのデータを信号処理部３とビデオデッキ７により、ビデオテープ３０にアナログ方式で録画する。また、制御部１は、ＨＤＤ５またはＤＶＤ２０からコンテンツのデジタルデータを読み出して、信号処理部３により処理してアナログのビデオ信号を生成し、ビデオデッキ７によりビデオテープ３０にアナログ方式でダビングする。ＤＶＤ２０とビデオテープ３０は、記録媒体１０の本体に対して出し入れできるリムーバブルな記録媒体である。ＨＤＤ５は、記録媒体１０の本体内に固定された記録媒体である。
【００２５】
また、制御部１は、メモリ２またはＨＤＤ５に記録された画像データを、ＯＳＤ回路と信号処理部３によりテレビ４０のディスプレイにＯＳＤにて表示できるように処理して、テレビ４０へ出力する。その画像データとしては、例えば記録装置１０の各種設定を行うための画像データ、各記録媒体５、２０、３０の各種設定を行うための画像データ、放送されたテレビ番組のコンテンツのデータをタイマ録画する予約を行うための画像データ、および記録媒体５、２０、３０間でコンテンツのデータをダビングする各種設定を行うための画像データ等が含まれている。テレビ４０は、記録装置１０とケーブル等で接続されている。テレビ４０は、信号処理部３から入力された映像信号に基づく映像を内蔵するディスプレイに表示し、信号処理部３から入力された音声信号に基づく音声を内蔵するスピーカから出力する。表示部８は、ＶＦＤ（Vacuum Fluorescent Display；蛍光表示管）等から構成されている。表示部８には、記録装置１０の動作状態や時間等が表示される。操作部９は、記録装置１０の本体の前面に設けられた各種のキーやＬＥＤ（Light Emitting Diode）等から構成されている。リモコン受信部１１は、リモコン１２から送信された信号を受信する。リモコン１２には、各種のキーが設けられている。リモコン１２または操作部９のキーを操作することで、記録装置１０に再生、録画、タイマ録画予約、ダビング等の各種の動作指示や設定情報を入力することができる。
【００２６】
上記構成において、ＨＤＤ５は、本発明における第１の記録媒体の一実施形態を構成する。制御部１と信号処理部３は、本発明における第１の記録手段の一実施形態を構成する。ＤＶＤ２０は、本発明における第２の記録媒体の一実施形態を構成する。制御部１と信号処理部３と光ディスクドライブ６は、本発明における第２の記録手段の一実施形態を構成する。ビデオテープ３０は、本発明における第３の記録媒体の一実施形態を構成する。制御部１と信号処理部３とビデオデッキ７は、本発明における第３の記録手段の一実施形態を構成する。制御部１と信号処理部３と光ディスクドライブ６ビデオデッキ７は、本発明におけるダビング手段の一実施形態を構成する。制御部１とリモコン１２と操作部９は、本発明における設定手段と予約手段の一実施形態を構成する。制御部１は、本発明における消去手段の一実施形態を構成する。
【００２７】
図２は、タイマ録画予約を行うための画面１４を示す図である。リモコン１２等で所定のキー操作を行うことで、制御部１はタイマ録画予約画面１４をテレビ４０のディスプレイにＯＳＤにて表示させる。タイマ録画予約画面１４において、リモコン１２等のキー操作により、カーソル１６を各項目の右側の入力欄に合わせて、情報を入力することで、各項目を設定することができる。例えば「開始日時」と「終了日時」の入力欄に日時を入力することで、タイマ録画の開始日時と終了日時を設定することができる。これに加えて、「チャンネル」の入力欄にチャンネル番号を入力することで、タイマ録画する放送チャンネルを設定して、テレビ番組のコンテンツを指定することができる。この他、リモコン１２等のキー操作により、各テレビ番組に割り当てられたＧコード等を入力することでも、タイマ録画の開始日時、終了日時、およびチャンネル番号を設定して、テレビ番組のコンテンツを指定することができる。
【００２８】
また、タイマ録画予約画面１４の「録画先」の入力欄に「ＨＤＤ」、「ＤＶＤ」、または「ビデオテープ」を入力することで、録画先の記録媒体としてＨＤＤ５、ＤＶＤ２０、ビデオテープ３０のいずれかを設定することができる。コストダウン等のため、記録装置１０からＤＶＤ２０やビデオテープ３０に対するタイマ録画機能とこれの予約機能を省略した場合は、録画先の記録媒体としてＤＶＤ２０やビデオテープ３０を設定できなくなる。「録画先」としてＨＤＤ５を設定すると、「自動ダビング」の右側の「設定」または「解除」にカーソル１６を移動できるようになる。カーソル１６を「自動ダビング」の右側の「設定」または「解除」に合わせて決定することで、ＨＤＤ５に録画したコンテンツのデータを自動的にダビングすることを設定しまたは解除することができる。タイマ録画予約画面１４の各項目を設定した後、リモコン１２等のキー操作により終了を指示すると、制御部１は、タイマ録画予約画面１４の設定内容をタイマ録画予約として受け付けて、メモリ２に登録（記録）する。
【００２９】
図３は、自動ダビングの設定を行うための画面１５を示す図である。リモコン１２等で所定のキー操作を行うことで、制御部１は自動ダビング設定画面１５をテレビ４０のディスプレイにＯＳＤにて表示させる。自動ダビング設定画面１５において、リモコン１２等のキー操作により、カーソル１６を「ＨＤＤ→ビデオテープ」または「ＨＤＤ→ＤＶＤ」の右側の「設定」または「解除」に合わせて決定することで、ＨＤＤ５に録画したコンテンツのデータをビデオテープ３０またはＤＶＤ２０に自動的にダビングすることを設定しまたは解除することができる。また、カーソル１６を「ＨＤＤ→ビデオテープ」または「ＨＤＤ→ＤＶＤ」の右側の「詳細」に合わせて決定することで、ＨＤＤ５に録画したコンテンツのデータをビデオテープ３０またはＤＶＤ２０にダビングするときの録画スピード、ビットレート、画質等の各種パラメータを設定することができる。さらに、カーソル１６を「非コピーワンスコンテンツダビング後ＨＤＤ消去」の右側の「設定」または「解除」に合わせて決定することで、ダビング対象のコンテンツがコピーワンスコンテンツでない場合に、該コンテンツをビデオテープ３０またはＤＶＤ２０にダビング後にＨＤＤ５から消去することを設定しまたは解除することができる。自動ダビング設定画面１５の各項目を設定した後、リモコン１２等のキー操作により終了を指示すると、制御部１は自動ダビング設定画面１５の設定内容をメモリ２に登録する。
【００３０】
図４は、記録装置１０で実行される自動ダビング処理の手順を示すフローチャートである。ＨＤＤ５に対するテレビ番組のコンテンツのデータのデジタル方式でのタイマ録画が終了した後（ステップＳ１：ＹＥＳ）、制御部１は該コンテンツに対する自動ダビングの指定が有るか否かを判定する（ステップＳ２）。図２に示したタイマ録画予約画面１４で「自動ダビング」の「設定」が指定されていれば、制御部１は自動ダビングの指定が有ると判断する（ステップＳ２：ＹＥＳ）。そして、制御部１はダビング対象のコンテンツのデータをＨＤＤ５に正常に録画できたか否かを判定し（ステップＳ３）、正常に録画できていれば（ステップＳ３：ＹＥＳ）、ＨＤＤ５からビデオテープ３０に対するダビングの指定が有るか否かを判定する（ステップＳ４）。一方、図２に示したタイマ録画予約画面１４で「自動ダビング」の「解除」が指定されていたり（ステップＳ２：ＮＯ）、ダビング対象のコンテンツのデータをＨＤＤ５に正常に録画できていなかったり（ステップＳ３：ＮＯ）した場合は、制御部１は自動ダビング処理を終了する。図３に示した自動ダビング設定画面１５で「ＨＤＤ→ビデオテープ」の「設定」が指定されていれば、制御部１は、ステップＳ４でＨＤＤ５からビデオテープ３０に対するダビングの指定が有ると判断し（ステップＳ４：ＹＥＳ）、ＨＤＤ→ビデオテープダビング開始判定を行う（ステップＳ５）。
【００３１】
図５は、図４のステップＳ５のＨＤＤ→ビデオテープダビング開始判定処理の詳細手順を示すフローチャートである。先ず、制御部１はビデオテープ３０に対する録画の準備ができているか否かを判定する（ステップＳ２１）。例えばビデオデッキ７にビデオテープ３０が装着されていることをセンサ等により検出すると、制御部１は、ビデオテープ３０に対する録画の準備ができていると判断し（ステップＳ２１：ＹＥＳ）、ビデオテープ３０に対してタイマ録画を行う機能が有るか否かを判定する（ステップＳ２２）。記録装置１０の製造段階でビデオテープ３０に対してタイマ録画を行うプログラムが組み込まれていれば、制御部１は、該プログラムを検出して、ビデオテープ３０に対するタイマ録画機能が有ると判断し（ステップＳ２２：ＹＥＳ）、未だ実行していないビデオテープ３０に対するタイマ録画の予約が有るか否かを判定する（ステップＳ２３）。このとき、ビデオテープ３０に対するタイマ録画の予約が有れば（ステップＳ２３：ＹＥＳ）、制御部１は、該予約で指定された録画の開始日時と終了日時等に基づいて、ビデオテープ３０に対するタイマ録画を行う時間帯を検出する（ステップＳ２４）。
【００３２】
また、制御部１は、図３に示した自動ダビング設定画面１５で指定されたＨＤＤ５からビデオテープ３０に対するダビング時の録画スピードと、ＨＤＤ５にタイマ録画されたダビング対象のコンテンツのデータ量等に基づいて、該コンテンツのデータのＨＤＤ５からビデオテープ３０に対するダビングを行う時間帯を予測する（ステップＳ２５）。そして、制御部１は、上記ビデオテープ３０に対するタイマ録画時間帯とダビング予測時間帯とが重複（オーバーラップ）しているか否かを判定する（ステップＳ２６）。このとき、ビデオテープ３０に対するタイマ録画時間帯とダビング予測時間帯とが重複していれば（ステップＳ２６：ＹＥＳ）、制御部１は、テレビ４０のディスプレイにメッセージを表示する等して、ＨＤＤ５からビデオテープ３０に対するダビングを取り消すことをユーザに通知し（ステップＳ２７）、ダビング管理ステータスの情報をクリアして、ＨＤＤ５からビデオテープ３０に対するダビングを取り消し（ステップＳ２８）、ＨＤＤ→ビデオテープダビング開始判定処理を終了する。ダビング管理ステータスは、自動ダビング処理を実行するための情報を管理するファイルであって、メモリ２の所定の領域に設けられている。
【００３３】
一方、ステップＳ２２でビデオテープ３０に対するタイマ録画機能が無いと判断したり（ステップＳ２２：ＮＯ）、ステップＳ２３でビデオテープ３０に対するタイマ録画予約が無いと判断したり（ステップＳ２３：ＮＯ）、ステップＳ２６でビデオテープ３０に対するタイマ録画時間帯とダビング予測時間帯とが重複していないと判断したり（ステップＳ２６：ＮＯ）した場合は、制御部１は、未だ実行していないＨＤＤ５に対するタイマ録画の予約が有るか否かを判定する（ステップＳ２９）。このとき、ＨＤＤ５に対するタイマ録画予約が無ければ（ステップＳ２９：ＮＯ）、制御部１は、ＨＤＤ５からビデオテープ３０に対するダビングを直ぐに開始できること示すダビングＯＫ情報をダビング管理ステータスにセット（記録）して（ステップＳ３３）、ＨＤＤ→ビデオテープダビング開始判定処理を終了する。
【００３４】
また、ステップＳ２９でＨＤＤ５に対するタイマ録画予約が有れば（ステップＳ２９：ＹＥＳ）、制御部１は、該予約で指定された録画の開始日時と終了日時等に基づいて、ＨＤＤ５に対するタイマ録画を行う時間帯を検出し（ステップＳ３０）、ダビング対象のコンテンツのデータのＨＤＤ５からビデオテープ３０に対するダビングを行う時間帯を予測する（ステップＳ３１）。そして、制御部１は、上記ＨＤＤ５に対するタイマ録画時間帯とビデオテープ３０に対するダビング予測時間帯とが重複しているか否かを判定し（ステップＳ３２）、重複していなければ（ステップＳ３２：ＮＯ）、ダビングＯＫ情報をダビング管理ステータスにセットして（ステップＳ３３）、ＨＤＤ→ビデオテープダビング開始判定処理を終了する。
【００３５】
また、ステップＳ３２でＨＤＤ５に対するタイマ録画時間帯とビデオテープ３０に対するダビング予測時間帯とが重複していれば（ステップＳ３２：ＹＥＳ）、制御部１は、ＨＤＤ５に対するタイマ録画時間帯と、ダビング対象のコンテンツのデータのＨＤＤ５からビデオテープ３０に対するダビングを行う所要時間等に基づいて、ＨＤＤ５に対するタイマ録画時間帯と重複せずに、該ダビングを行えるダビング開始時間を算出する（ステップＳ３４）。そして、制御部１は、該ダビング開始時間を含んでいて、ＨＤＤ５からビデオテープ３０に対するダビングを遅延させることを示すダビング遅延情報をダビング管理ステータスにセットして（ステップＳ３４）、ＨＤＤ→ビデオテープダビング開始判定処理を終了する。
【００３６】
ＨＤＤ→ビデオテープダビング開始判定処理の終了後、ダビング管理ステータスがクリアされていれば、制御部１は、図４のステップＳ５でＨＤＤ５からビデオテープ３０に対するダビングが取り消されたと判断して、ＨＤＤ５にタイマ録画したコンテンツのビデオテープ３０へのダビングを行わずに、ステップＳ１０へ移行する。また、図３に示した自動ダビング設定画面１５で「ＨＤＤ→ビデオテープ」の「解除」が指定されていて、ステップＳ４でＨＤＤ５からビデオテープ３０に対するダビングの指定が無いと判断した場合も（ステップＳ４：ＮＯ）、制御部１は、ＨＤＤ５にタイマ録画したコンテンツのビデオテープ３０へのダビングを行わずに、ステップＳ１０へ移行する。
【００３７】
一方、ＨＤＤ→ビデオテープダビング開始判定処理の終了後、ダビング管理ステータスにダビングＯＫ情報がセットされていれば、制御部１は、ステップＳ５でＨＤＤ５からビデオテープ３０に対するダビングを直ぐに開始できると判断して、指定されたビデオテープ３０に対するダビング時の録画スピードをビデオデッキ７にロードする（ステップＳ７）。即ち、指定された録画スピードで録画を行うようにビデオデッキ７に指示を与える。そして、制御部１は、ＨＤＤ５にタイマ録画したコンテンツのデータを、ビデオデッキ７によりビデオテープ３０にアナログ方式でダビングする（ステップＳ８）。ダビング終了後、制御部１はビデオデッキ７によるビデオテープ３０に対する録画スピードを復元する（ステップＳ９）。
【００３８】
また、ＨＤＤ→ビデオテープダビング開始判定処理の終了後、ダビング管理ステータスにダビング遅延情報がセットされていれば、制御部１は、ステップＳ５でＨＤＤ５からビデオテープ３０に対するダビングを遅延すると判断して、ダビング遅延情報に含まれるダビング開始時間になるのを待つ（ステップＳ６）。そして、ダビング開始時間になると（ステップＳ６：ＹＥＳ）、制御部１は、指定されたダビング時の録画スピードをビデオデッキ７にロードして（ステップＳ７）、ＨＤＤ５に対する他のタイマ録画時間帯と重複しない時間帯に、ＨＤＤ５にタイマ録画したコンテンツのデータをビデオデッキ７によりビデオテープ３０にアナログ方式でダビングする（ステップＳ８）。ダビング終了後、制御部１はビデオデッキ７によるビデオテープ３０に対する録画スピードを復元する（ステップＳ９）。
【００３９】
次に、ステップＳ１０で制御部１は、ＨＤＤ５からＤＶＤ２０に対するダビングの指定が有るか否かを判定する。図３に示した自動ダビング設定画面１５で「ＨＤＤ→ＤＶＤ」の「設定」が指定されていれば、制御部１はＨＤＤ５からＤＶＤ２０に対するダビングの指定が有ると判断し（ステップＳ１０：ＹＥＳ）、ＨＤＤ→ＤＶＤダビング開始判定を行う（ステップＳ１１）。
【００４０】
図６は、図４のステップＳ１１のＨＤＤ→ＤＶＤダビング開始判定処理の詳細手順を示すフローチャートである。先ず、制御部１はＤＶＤ２０に対する録画の準備ができているか否かを判定する（ステップＳ４１）。例えば光ディスクドライブ６にＤＶＤ２０が装着されていることをセンサやピックアップ等により検出すると、制御部１は、ＤＶＤ２０に対する録画の準備ができていると判断し（ステップＳ４１：ＹＥＳ）、ＤＶＤ２０に対してタイマ録画を行う機能が有るか否かを判定する（ステップＳ４２）。記録装置１０の製造段階でＤＶＤ２０に対してタイマ録画を行うプログラムが組み込まれていれば、制御部１は、該プログラムを検出して、ＤＶＤ２０に対するタイマ録画機能が有ると判断し（ステップＳ４２：ＹＥＳ）、未だ実行していないＤＶＤ２０に対するタイマ録画の予約が有るか否かを判定する（ステップＳ４３）。このとき、ＤＶＤ２０に対するタイマ録画予約が有れば（ステップＳ４３：ＹＥＳ）、制御部１は、該予約で指定された録画の開始日時と終了日時等に基づいて、ＤＶＤ２０に対するタイマ録画を行う時間帯を検出する（ステップＳ４４）。
【００４１】
また、制御部１は、図３に示した自動ダビング設定画面１５で指定されたＨＤＤ５からＤＶＤ２０に対するダビング時の録画スピード（ビットレート）と、ＨＤＤ５にタイマ録画されたダビング対象のコンテンツのデータ量等に基づいて、該コンテンツのデータのＨＤＤ５からＤＶＤ２０に対するダビングを行う時間帯を予測する（ステップＳ４５）。そして、制御部１は、上記ＤＶＤ２０に対するタイマ録画時間帯とダビング予測時間帯とが重複しているか否かを判定し（ステップＳ４６）、重複していれば（ステップＳ４６：ＹＥＳ）、ＨＤＤ５からＤＶＤ２０に対するダビングを取り消すことをユーザに通知し（ステップＳ４７）、ダビング管理ステータスの情報をクリアして、該ダビングを取り消し（ステップＳ４８）、ＨＤＤ→ＤＶＤダビング開始判定処理を終了する。
【００４２】
一方、ステップＳ４２でＤＶＤ２０に対するタイマ録画機能が無いと判断したり（ステップＳ４２：ＮＯ）、ステップＳ４３でＤＶＤ２０に対するタイマ録画予約が無いと判断したり（ステップＳ４３：ＮＯ）、ステップＳ４６でＤＶＤ２０に対するタイマ録画時間帯とダビング予測時間帯とが重複していないと判断したり（ステップＳ４６：ＮＯ）した場合は、制御部１は、未だ実行していないＨＤＤ５に対するタイマ録画の予約が有るか否かを判定する（ステップＳ４９）。このとき、ＨＤＤ５に対するタイマ録画予約が無ければ（ステップＳ４９：ＮＯ）、制御部１は、ＨＤＤ５からＤＶＤ２０に対するダビングを直ぐに開始できること示すダビングＯＫ情報をダビング管理ステータスにセットして（ステップＳ５３）、ＨＤＤ→ＤＶＤダビング開始判定処理を終了する。
【００４３】
また、ステップＳ４９でＨＤＤ５に対するタイマ録画予約が有れば（ステップＳ４９：ＹＥＳ）、制御部１は、該予約で指定された録画の開始日時と終了日時等に基づいて、ＨＤＤ５に対するタイマ録画を行う時間帯を検出し（ステップＳ５０）、ダビング対象のコンテンツのデータのＨＤＤ５からＤＶＤ２０に対するダビングを行う時間帯を予測する（ステップＳ５１）。そして、制御部１は、上記ＨＤＤ５に対するタイマ録画時間帯とＤＶＤ２０に対するダビング予測時間帯とが重複しているか否かを判定し（ステップＳ５２）、重複していなければ（ステップＳ５２：ＮＯ）、ダビングＯＫ情報をダビング管理ステータスにセットして（ステップＳ５３）、ＨＤＤ→ＤＶＤダビング開始判定処理を終了する。
【００４４】
また、ステップＳ５２でＨＤＤ５に対するタイマ録画時間帯とＤＶＤ２０に対するダビング予測時間帯とが重複していれば（ステップＳ５２：ＹＥＳ）、制御部１は、ＨＤＤ５に対するタイマ録画時間帯と、ダビング対象のコンテンツのデータのＨＤＤ５からＤＶＤ２０に対するダビングを行う所要時間等に基づいて、ＨＤＤ５に対するタイマ録画時間帯と重複せずに、該ダビングを行えるダビング開始時間を算出する（ステップＳ５４）。そして、制御部１は、該ダビング開始時間を含んでいて、ＨＤＤ５からＤＶＤ２０に対するダビングを遅延させることを示すダビング遅延情報をダビング管理ステータスにセットして（ステップＳ５４）、ＨＤＤ→ＤＶＤダビング開始判定処理を終了する。
【００４５】
ＨＤＤ→ＤＶＤダビング開始判定処理の終了後、ダビング管理ステータスがクリアされていれば、制御部１は、図４のステップＳ１１でＨＤＤ５からＤＶＤ２０に対するダビングが取り消されたと判断して、ＨＤＤ５にタイマ録画したコンテンツのＤＶＤ２０へのダビングを行わずに、自動ダビング処理を終了する。また、図３に示した自動ダビング設定画面１５で「ＨＤＤ→ＤＶＤ」の「解除」が指定されていて、ステップＳ１０でＨＤＤ５からＤＶＤ２０に対するダビングの指定が無いと判断した場合も（ステップＳ１０：ＮＯ）、制御部１は、ＨＤＤ５にタイマ録画したコンテンツのＤＶＤ２０へのダビングを行わずに、自動ダビング処理を終了する。
【００４６】
一方、ＨＤＤ→ＤＶＤダビング開始判定処理の終了後、ダビング管理ステータスにダビングＯＫ情報がセットされていれば、制御部１は、ステップＳ１１でＨＤＤ５からＤＶＤ２０に対するダビングを直ぐに開始できると判断して、指定されたＤＶＤ２０に対するダビング時の録画スピードを光ディスクドライブ６にロードし（ステップＳ１３）、ＨＤＤ５にタイマ録画したコンテンツのデータを光ディスクドライブ６によりＤＶＤ２０にデジタル方式でダビングする（ステップＳ１４）。このとき、ダイビング対象のコンテンツがコピーワンスコンテンツであって、記録装置１０とＨＤＤ５とＤＶＤ２０とがＣＰＲＭ（Content Protection for Recordable Media）技術に対応していれば、該コンテンツのデータはＨＤＤ５からＤＶＤ２０へとムーブされる。即ち、ダイビング対象のコンテンツのデータがＤＶＤ２０に記録されながら、ＨＤＤ５から消去されて行く。ダビング終了後、制御部１は光ディスクドライブ６によるＤＶＤ２０に対する録画スピードを復元する（ステップＳ１５）。
【００４７】
また、ＨＤＤ→ＤＶＤダビング開始判定処理の終了後、ダビング管理ステータスにダビング遅延情報がセットされていれば、制御部１は、ステップＳ１１でＨＤＤ５からＤＶＤ２０に対するダビングを遅延すると判断して、ダビング遅延情報に含まれるダビング開始時間になるのを待つ（ステップＳ１２）。そして、ダビング開始時間になると（ステップＳ１２：ＹＥＳ）、制御部１は、指定されたダビング時の録画スピードを光ディスクドライブ６にロードし（ステップＳ１３）、ＨＤＤ５に対する他のタイマ録画時間帯と重複しない時間帯に、ＨＤＤ５にタイマ録画したコンテンツのデータを光ディスクドライブ６によりＤＶＤ２０にデジタル方式でダビングする（ステップＳ１４）。ダビング終了後、制御部１は光ディスクドライブ６によるＤＶＤ２０に対する録画スピードを復元する（ステップＳ１５）。
【００４８】
次に、ステップＳ１６で制御部１は、ＨＤＤコンテンツ消去判定を行う。図７は、該ＨＤＤコンテンツ消去判定処理の詳細手順を示すフローチャートである。先ず、制御部１はダビング対象のコンテンツのデータがＨＤＤ５からＤＶＤ２０へムーブされたか否かを判定する（ステップＳ６１）。このとき、ダビング対象のコンテンツがコピーワンスコンテンツではなく、該コンテンツのデータがＨＤＤ５に残っていると、制御部１は、ムーブされていないと判断して（ステップＳ６１：ＮＯ）、該コンテンツに対する自動消去の指定が有るか否かを判定する（ステップＳ６２）。図３に示した自動ダビング設定画面１５で「非コピーワンスコンテンツダビング後ＨＤＤ消去」の「設定」が指定されていれば、制御部１は自動消去の指定が有ると判断し（ステップＳ６２：ＹＥＳ）、ダビング対象のコンテンツのＨＤＤ５からの消去を指示するコンテンツ消去情報をダビング管理ステータスにセットして（ステップＳ６３）、ＨＤＤコンテンツ消去判定処理を終了する。
【００４９】
一方、ダビング対象のコンテンツがコピーワンスコンテンツであって、該コンテンツのデータがＨＤＤ５から消去されていると、制御部１はステップＳ６１でムーブされたと判断して（ステップＳ６１：ＹＥＳ）、ＨＤＤ５からのコンテンツの消去判定処理を終了する。また、図３に示した自動ダビング設定画面１５で「非コピーワンスコンテンツダビング後ＨＤＤ消去」の「解除」が指定されていれば、制御部１はステップＳ６２で自動消去の指定が無いと判断して（ステップＳ６２：ＹＥＳ）、ＨＤＤコンテンツ消去判定処理を終了する。
【００５０】
ＨＤＤコンテンツ消去判定処理の終了後、ダビング管理ステータスにコンテンツ消去情報がセットされていれば、制御部１は、図４のステップＳ１６でダビング対象のコンテンツのデータをＨＤＤ５から消去すると判断し、該消去を行って（ステップＳ１７）、自動ダビング処理を終了する。また、ＨＤＤコンテンツ消去判定処理の終了後、ダビング管理ステータスにコンテンツ消去情報がセットされていなければ、制御部１は、ステップＳ１６でダビング対象のコンテンツのデータをＨＤＤ５から消去しないと判断し、該コンテンツのデータをＨＤＤ５に保存したまま、自動ダビング処理を終了する。
【００５１】
図８は、上述した自動ダビング処理を実行したときのダビング状況の一例を示す図である。図８では、ダビング対象のコンテンツのＨＤＤ５に対するタイマ録画時間帯が１６：００〜１６：３０であり、該コンテンツのＨＤＤ５からビデオテープ３０に対するダビング予測時間帯が１６：３０〜１７：００でかつダビング所要時間が３０分であり、ＨＤＤ５からＤＶＤ２０に対するダビング予測時間帯が１６：３０〜１７：００でかつダビング所要時間が３０分である場合を例に挙げている。これら各時間には、各動作の前処理と後処理の時間も含まれている。図８（ａ）に示すように、ダビング対象のコンテンツのＨＤＤ５に対するタイマ録画の終了後、１時間以内に他のコンテンツのタイマ録画予約が入っていなければ、ビデオテープ３０またはＤＶＤ２０に対するダビング予測時間帯が他のタイマ録画時間帯と重複しないので、ダビング対象のコンテンツのＨＤＤ５からビデオテープ３０に対するダビングは、予測通りの１６：３０〜１７：００に行われ、ＨＤＤ５からＤＶＤ２０に対するダビングは、予測通りの１７：００〜１７：３０に行われる。
【００５２】
また、図８（ｂ）に示すように、他のコンテンツのＨＤＤ５に対するタイマ録画予約が１６：３０〜１７：００に入っていると、該ＨＤＤ５に対するタイマ録画時間帯に、ビデオテープ３０に対するダビング予測時間帯が重複し、ＤＶＤ２０に対するダビング予測時間帯が重複しないので、ダビング対象のコンテンツのＨＤＤ５からビデオテープ３０に対するダビングは、ＨＤＤ５に対するタイマ録画終了後の１７：００〜１７：３０に行われ、ＨＤＤ５からＤＶＤ２０に対するダビングは、その後の１７：３０〜１８：００に行われる。さらに、図８（ｃ）に示すように、他のコンテンツのＤＶＤ２０に対するタイマ録画予約が１７：１５〜１８：００に入っていると、該ＤＶＤ２０に対するタイマ録画時間帯に、ビデオテープ３０に対するダビング予測時間帯が重複せず、ＤＶＤ２０に対するダビング予測時間帯が重複するので、ダビング対象のコンテンツのＨＤＤ５からビデオテープ３０に対するダビングは、予測通りの１６：３０〜１７：００に行われ、ＤＶＤ２０に対するタイマ録画は、予約された１７：１５〜１８：００に行われ、ＨＤＤ５からＤＶＤ２０に対するダビングは取り消されて行われない。
【００５３】
以上のように、テレビ番組のコンテンツのデータのＨＤＤ５へのデジタル方式でのタイマ録画終了後に、該録画されたコンテンツのデータを自動的に、ビデオテープ３０にアナログ方式でダビングし、次にＤＶＤ２０にデジタル方式でダビングすることで、ＨＤＤ５に録画したコンテンツがコピーワンスコンテンツであっても、コピーワンスコンテンツはアナログ方式の録画であれば、該コンテンツのデータに付加された制御情報の影響を受けず、ダビング元から消去されないので、該コンテンツを１回の自動ダビング処理でビデオテープ３０とＤＶＤ２０にダビングして、複数複製することができ、ユーザの負担を軽減することが可能となる。このため、その後ダビング先のビデオテープ３０とＤＶＤ２０のいずれか一方が劣化して再生できなくなっても、他方を再生してコンテンツを視聴することができる。また、コンテンツのビデオテープ３０とＤＶＤ２０に対するタイマ録画機能とこれの予約機能を省いても、所望のコンテンツを自動的にビデオテープ３０とＤＶＤ２０に録画することができる。
【００５４】
また、ユーザが自動ダビング設定画面１５で、コピーワンスコンテンツでないコンテンツをダビング後にＨＤＤ５から消去するかしないかを自由に設定することができる。そして、自動ダビング設定画面１５で上記コンテンツを消去しないことを設定することで、上記コンテンツがダビング元のＨＤＤ５から消去されないので、その後ダビング先のビデオテープ３０とＤＶＤ２０が劣化して再生できなくなっても、別のビデオテープ３０とＤＶＤ２０に上記コンテンツをダビングすることができる。また、自動ダビング設定画面１５で上記コンテンツを消去することを設定することで、上記コンテンツをダビング後に自動的にダビング元のＨＤＤ５から消去されるので、ＨＤＤ５の記録領域を整理して最適化することができる。
【００５５】
さらに、ＨＤＤ５にタイマ録画したコンテンツのデータのビデオテープ３０またはＤＶＤ２０に対するダビングを行う時間帯を予測し、該ダビング予測時間帯が予約された他のコンテンツのデータのＨＤＤ５へのタイマ録画を行う時間帯と重複する場合に、該タイマ録画時間帯と重複しない時間帯に、ＨＤＤ５からビデオテープ３０またはＤＶＤ２０に対するダビングを行うことで、予約された他のコンテンツのＨＤＤ５への録画を阻害することなく、ＨＤＤ５からビデオテープ３０またはＤＶＤ２０に対してコンテンツデータをダビングすることができる。また、上記ダビング予測時間帯が予約された他のコンテンツのデータのビデオテープ３０またはＤＶＤ２０に対するタイマ録画を行う時間帯と重複する場合に、ＨＤＤ５からビデオテープ３０またはＤＶＤ２０に対するダビングを取り消すことで、該ダビングにより、予約されたビデオテープ３０またはＤＶＤ２０に対するタイマ録画が阻害されるのを防止することができる。
【００５６】
本発明は、以上の実施形態以外にも種々の形態を採用することができる。例えば、以上の実施形態では、放送電波から取得したコンテンツのＨＤＤ５に対するタイマ録画終了後に、自動ダビング処理を開始して、該コンテンツをビデオテープ３０とＤＶＤ２０にダビングした例を挙げているが、本発明はこれのみに限定するものではない。これ以外に、例えば放送電波から取得したコンテンツのＨＤＤ５に対する手動録画終了後に、または他のＡＶ機器からケーブル等を介して入力されたコンテンツのＨＤＤ５に対する録画終了後に、自動ダビング処理を開始して、該コンテンツをビデオテープ３０とＤＶＤ２０にダビングするようにしてもよい。
【００５７】
また、以上の実施形態では、第１の記録媒体が記録装置１０の本体に内蔵されたＨＤＤ５であり、第２の記録媒体が記録装置１０の本体に内蔵された光ディスクドライブ６に装着されるＤＶＤ２０であり、第３の記録媒体が記録装置１０の本体に内蔵されたビデオデッキ７に装着されるＶＨＳ方式のビデオテープ３０である例を挙げているが、本発明はこれのみに限定するものではない。これ以外に、第１の記録媒体としては、例えば記録装置に外付けされたＨＤＤや、記録装置に内蔵されたメモリＩＣチップ等のような、デジタル記録媒体を用いてもよい。また、第２の記録媒体としては、例えば記録装置に外付けまたは内蔵された光ディスクドライブに装着されるＤＶＤやブルーレイディスク（Blu-ray Disc；登録商標）等の光ディスクや、記録装置に外付けされたリムーバブルなＨＤＤや、記録装置に内蔵されたカードリーダライタに装着されるメモリカードやカード型ＨＤＤや、記録装置に内蔵されたビデオデッキに装着されるＤ−ＶＨＳ方式等のデジタルビデオテープ等のような、リムーバブルなデジタル記録媒体を用いてもよい。さらに、第３の記録媒体としては、例えば記録装置に外付けされたビデオデッキに装着されるアナログビデオテープや、記録装置に外付けまたは内蔵された磁気ディスクドライブに装着される磁気ディスク等のような、アナログ記録媒体を用いてもよい。また、ダビング対象のコンテンツは放送されたテレビ番組のコンテンツや、他のＡＶ機器からケーブル等を介して入力されたコンテンツ以外に、インターネット等で配信された映像のコンテンツや、放送されたまたはインターネット等で配信された音声のコンテンツ等であってもよい。
【００５８】
さらに、以上の実施形態では、ＨＤＤレコーダ、ＤＶＤレコーダ、およびＶＣＲの機能を有する複合型の記録装置１０に本発明を適用した例を挙げているが、本発明は、例えばＨＤＤレコーダ、ＤＶＤレコーダ、ＶＣＲ、ブルーレイディスクレコーダ、カードリーダライタ、テレビ、オーディオレコーダ等の機能を１つまたは複数有するＡＶ機器から成る記録装置にも適用することができる。
【図面の簡単な説明】
【００５９】
【図１】本発明の実施形態に係る記録装置のブロック図である。
【図２】タイマ録画予約を行うための画面を示す図である。
【図３】自動ダビングの設定を行うための画面を示す図である。
【図４】自動ダビング処理の手順を示すフローチャートである。
【図５】ＨＤＤ→ビデオテープダビング開始判定処理の詳細手順を示すフローチャートである。
【図６】ＨＤＤ→ＤＶＤダビング開始判定処理の詳細手順を示すフローチャートである。
【図７】ＨＤＤコンテンツ消去判定処理の詳細手順を示すフローチャートである。
【図８】自動ダビング処理の実行時のダビング状況の一例を示す図である。
【符号の説明】
【００６０】
１  制御部
３  信号処理部
５  ＨＤＤ
６  光ディスクドライブ
７  ビデオデッキ
９  操作部
１０  記録装置
１２  リモコン
２０  ＤＶＤ
３０  ビデオテープ
【図１】
2008091992.tif 000003
【図２】
2008091992.tif 000004
【図３】
2008091992.tif 000005
【図４】
2008091992.tif 000006
【図５】
2008091992.tif 000007
【図６】
2008091992.tif 000008
【図７】
2008091992.tif 000009
【図８】
2008091992.tif 000010